(57)【要約】【課題】設備の巡回を効率的に行なうことができる設備位置情報管理システムを提供する。【解決手段】設備位置情報管理システム１は、管理ＧＩＳサーバ２と、管理ＧＩＳサーバとインターネット１０を介して通信可能なウルトラモバイルＰＣ３とを有する。管理ＧＩＳサーバ２は、通信ケーブル位置情報データベース４と、地図情報データベース５と、通信ケーブルの緯度経度情報及び地図情報を重ね合わせてウルトラモバイルＰＣに送信する通信ケーブル位置情報送信手段６と、通信ケーブル画像受信手段１３とを備える。ウルトラモバイルＰＣ３は、通信ケーブルの緯度経度情報及び地図情報を重ね合わせて受信する通信ケーブル位置情報受信手段７と、ＧＰＳ衛星９によって自身の位置情報を取得する位置情報取得手段８と、通信ケーブルを撮像する撮像手段１１と、通信ケーブル画像送信手段１２とを備える。【選択図】図１
2008058462.tif 000002
【特許請求の範囲】
【請求項１】
携帯情報端末と、該携帯情報端末と通信可能な管理サーバとによって、設備の位置情報を管理する設備位置情報管理システムであって、
前記管理サーバが、設備の位置情報を記録する設備位置情報記録手段と、
該設備位置情報記録手段に記録された設備の位置情報を前記携帯情報端末に通信回線を介して送信する設備位置情報送信手段とを備え、
前記携帯情報端末が、前記設備位置情報送信手段から設備の位置情報を受信する設備位置情報受信手段と、
前記携帯情報端末の位置情報を取得する位置情報取得手段とを備えた
ことを特徴とする設備位置情報管理システム。
【請求項２】
前記管理サーバが、地図情報を記録する地図情報記録手段を備え、
前記設備位置情報記録手段に記録された設備の位置情報が緯度経度情報であり、
前記設備位置情報送信手段が、前記地図情報記録手段に記録された地図情報と、緯度経度情報とを重ね合わせて送信する
ことを特徴とする請求項１に記載の設備位置情報管理システム。
【請求項３】
前記携帯情報端末が、設備を撮像する撮像手段と、
該撮像手段によって撮像された設備の画像を通信回線を介して前記管理サーバに送信する設備画像送信手段とを備えた
ことを特徴とする請求項１または請求項２に記載の設備位置情報管理システム。
【請求項４】
自身の位置情報を取得する位置情報取得手段を備えた携帯情報端末と通信可能な管理サーバを有する、設備の位置情報を管理する設備位置情報管理システムであって、
前記管理サーバが、設備の位置情報を記録する設備位置情報記録手段と、
該設備位置情報記録手段に記録された設備の位置情報を前記携帯情報端末に通信回線を介して送信する設備位置情報送信手段とを備えた
ことを特徴とする設備位置情報管理システム。
【請求項５】
前記管理サーバが、地図情報を記録する地図情報記録手段を備え、
前記設備位置情報記録手段に記録された設備の位置情報が緯度経度情報であり、
前記設備位置情報送信手段が、前記地図情報記録手段に記録された地図情報と、緯度経度情報とを重ね合わせて送信する
ことを特徴とする請求項４に記載の設備位置情報管理システム。
【請求項６】
前記管理サーバが、前記携帯情報端末によって撮像された設備の画像を通信回線を介して前記携帯情報端末から受信する設備画像受信手段を備えた
ことを特徴とする請求項４または請求項５に記載の設備位置情報管理システム。
【発明の詳細な説明】
【技術分野】
【０００１】
本発明は設備位置情報管理システムに関する。詳しくは、通信ケーブル等の設備の埋設位置を管理する設備位置情報管理システムに係るものである。
【背景技術】
【０００２】
従来、電力供給配線、ガス供給配管及び通信ケーブル配線といった設備を敷設した後、これらが敷設された位置を記録する媒体として一般的に紙が用いられており、これら設備のルート情報は重要な企業機密事項となっているにも関わらず、設備の保守作業時においては設備ルートの図面をプリントアウトして現場に携行していた。
【０００３】
しかし、このようにプリントアウトした資料を持ち出すと、紛失や盗難の可能性が高くなり、特に企業コンプライアンスを掲げるインフラ設備提供会社にとってセキュリティは大きな課題となっている。
また、カーナビゲーションシステムを利用して設備のルート情報を表示しようとしても、カーナビゲーションシステムは道路上での情報を前提としたシステムであるため、道路から外れた地点における設備の表示、例えば通信ケーブルが河川を横断している様子をカーナビゲーションシステムによって表示することは困難であった。
【０００４】
そこで、埋設された設備の位置等を検知する方法として、例えば特許文献１には、磁界を測定するケーブル位置測定器により、地下に埋設されたケーブルを発生源とする微弱な交流磁界を地表上から測定し、次に、この磁界の計測結果に基づき、測定地点からケーブルの位置までの距離を算出し、この測定地点の近辺で複数回距離の測定を行ない、算出された距離が最も短い測定地点の直下にケーブルが埋設されていると判定する方法が記載されている。
【０００５】
【特許文献１】特開２００１−３５６１７７号公報
【発明の開示】
【発明が解決しようとする課題】
【０００６】
しかしながら、ケーブルの位置測定を効率的に行なうためには、次に測定を行なうべき測定地点をある程度予測して次の測定を行なう必要があり、こういった予測を測定箇所において行なうためには人間が経験的に判断しなくてはならない。また、ケーブル位置情報に基づいて、ケーブルの埋設されているルートを地図に関連付けて表示する場合、ケーブル位置の直上と判定された測定地点の緯度経度情報を地図等でおおまかに知ることはできても、正確な緯度経度情報を入手できないため、位置情報を正確に地図上に反映させて表示することができなかった。
【０００７】
本発明は、以上の点に鑑みて創案されたものであり、設備の巡回を効率的に行なうことができる設備位置情報管理システムを提供することを目的とする。
【課題を解決するための手段】
【０００８】
上記の目的を達成するために、本発明の設備位置情報管理システムは、携帯情報端末と、該携帯情報端末と通信可能な管理サーバとによって、設備の位置情報を管理する設備位置情報管理システムであって、前記管理サーバが、設備の位置情報を記録する設備位置情報記録手段と、該設備位置情報記録手段に記録された設備の位置情報を前記携帯情報端末に通信回線を介して送信する設備位置情報送信手段とを備え、前記携帯情報端末が、前記設備位置情報送信手段から設備の位置情報を受信する設備位置情報受信手段と、前記携帯情報端末の位置情報を取得する位置情報取得手段とを備えたことを特徴とする。
【０００９】
ここで、設備位置情報記録手段に記録された設備の位置情報を携帯情報端末に通信回線を介して送信する設備位置情報送信手段によって、紙媒体に記録された設備配置図面を携帯する必要がなく、電子化された設備配置図面を見ながら現場作業を行なうことができる。また、携帯情報端末の位置情報を取得する位置情報取得手段によって、携帯情報端末を携帯した保守点検者が自分の現在位置を認識しつつ現場作業を行なうことができ、設備ルートを知らない保守点検者でも設備の巡回作業等が可能となる。
【００１０】
また、本発明の設備位置情報管理システムにおいて、管理サーバが、地図情報を記録する地図情報記録手段を備え、設備位置情報記録手段に記録された設備の位置情報が緯度経度情報であり、設備位置情報送信手段が、地図情報記録手段に記録された地図情報と、緯度経度情報とを重ね合わせて送信する場合、設備の位置が地図上に表示されて視覚的に把握できる。
【００１１】
また、上記の目的を達成するために、本発明の設備位置情報管理システムは、自身の位置情報を取得する位置情報取得手段を備えた携帯情報端末と通信可能な管理サーバを有する、設備の位置情報を管理する設備位置情報管理システムであって、前記管理サーバが、設備の位置情報を記録する設備位置情報記録手段と、該設備位置情報記録手段に記録された設備の位置情報を前記携帯情報端末に通信回線を介して送信する設備位置情報送信手段とを備えたことを特徴とする。
【００１２】
ここで、設備位置情報記録手段に記録された設備の位置情報を携帯情報端末に通信回線を介して送信する設備位置情報送信手段によって、紙媒体に記録された設備配置図面を携帯する必要がなく、電子化された設備配置図面を見ながら現場作業を行なうことができる。
【００１３】
また、本発明の設備位置情報管理システムにおいて、管理サーバが、前記携帯情報端末によって撮像された設備の画像を通信回線を介して前記携帯情報端末から受信する設備画像受信手段を備えた場合、現場の情報を何時でも何処からでも関係者が共有でき、迅速な対応が可能となる。ここで「画像」には静止画及び動画が含まれる。
【発明の効果】
【００１４】
本発明に係る設備位置情報管理システムは、設備の巡回を効率的に行なうことができる。
【発明を実施するための最良の形態】
【００１５】
以下、本発明の実施の形態について図面を参照しながら説明し、本発明の理解に供する。
図１は、本発明を適用した設備位置情報管理システムの構成の一例を説明する概略図である。図１において、本発明の設備位置情報管理システム１は、管理ＧＩＳ（地理情報システム）サーバ（管理サーバの一例である。）２と、管理ＧＩＳサーバとインターネット（通信回線の一例である。）１０を介して通信可能なウルトラモバイルＰＣ（携帯情報端末の一例である。）３とを有している。
【００１６】
ここで、管理ＧＩＳサーバ２は、通信ケーブルの位置情報として緯度経度情報を記録する通信ケーブル位置情報データベース（設備位置情報記録手段の一例である。）４と、地図情報を記録する地図情報データベース（地図情報記録手段の一例である。）５と、通信ケーブル位置情報データベースに記録された通信ケーブルの緯度経度情報及び地図情報データベースに記録された地図情報を重ね合わせてウルトラモバイルＰＣにインターネットを介して送信する通信ケーブル位置情報送信手段（設備位置情報送信手段の一例である。）６と、ウルトラモバイルＰＣによって撮像された通信ケーブルの画像をインターネットを介してウルトラモバイルＰＣから受信する通信ケーブル画像受信手段（設備画像受信手段の一例である。）１３とを備えている。
【００１７】
また、ウルトラモバイルＰＣ３とは、タッチスクリーンやマイクロソフト社のオペレーションシステム機能を装備した携帯可能なマイクロソフト社の超小型端末であり、通信ケーブル位置情報送信手段から通信ケーブルの緯度経度情報及び地図情報を重ね合わせて受信する通信ケーブル位置情報受信手段（設備位置情報受信手段の一例である。）７と、ＧＰＳ（全地球測位システム）衛星９によってウルトラモバイルＰＣの位置情報を取得する位置情報取得手段８と、通信ケーブルを撮像する撮像手段１１と、撮像手段によって撮像された通信ケーブルの画像をインターネットを介して管理ＧＩＳサーバに送信する通信ケーブル画像送信手段（設備画像送信手段の一例である。）１２とを備えている。
【００１８】
また、設備の例として通信ケーブルを挙げて説明しているが、必ずしも通信ケーブルでなくてもよく、例えば電力供給線、ガス供給管、水道管、電柱であってもよい。また、設備の位置が判るのであれば、必ずしも地図情報と緯度経度情報とを重ねて送信しなくてもよい。
【００１９】
次に、本発明の設備位置情報管理システムを用いて、通信ケーブルの管理地域内を巡回する例を説明する。
管理地域内を自動車に乗って通信ケーブルの保守点検のため巡回する場合、自動車に乗った保守点検者は、ウルトラモバイルＰＣ３を用いて、管理ＧＩＳサーバ２の通信ケーブル位置情報送信手段６からインターネット１０を介して通信ケーブルの緯度経度情報と地図情報とを重なった状態で受信する。図２は、通信ケーブルの緯度経度情報と地図情報を受信したウルトラモバイルＰＣの表示画面の一例を示す概略図である。図２において、ウルトラモバイルＰＣの表示画面１５には、川を横切る通信ケーブル１４が点の集合体として表示されている。
【００２０】
また、表示画面１５とは別のウルトラモバイルＰＣ３の画面（図示せず。）には、位置情報取得手段８によって取得したウルトラモバイルＰＣ３の位置情報が表示され、ウルトラモバイルＰＣ３の位置すなわち保守点検者の位置が判る。
【００２１】
また、保守点検者は、ウルトラモバイルＰＣ３の撮像手段１１によって通信ケーブルが敷設された現場の画像を撮像し、通信ケーブル画像送信手段１２によって管理ＧＩＳサーバ２へ画像データを送信する。
【００２２】
ここで、携帯情報端末が、管理サーバから設備位置情報を受信できると共に携帯情報端末の位置情報を取得できるのであれば、必ずしも撮像手段や設備画像送信手段を備えていなくてもよく、また、必ずしもウルトラモバイルＰＣでなくてもよく携帯電話等を用いてもよい。また、携帯情報端末が自身の位置情報を取得できるのであれば、必ずしもＧＰＳ衛星を利用しなくてもよく、例えばＰＨＳ基地局からの位置情報サービスを利用して位置情報を取得してもよい。
【００２３】
このように、本発明の設備位置情報管理システムは、管理サーバが通信ケーブル等の設備の位置情報を記録し、インターネットを介して携帯情報端末に送信するので、紙媒体に記録された設備配置図面を携帯する必要がなく、電子化された設備配置図面を見ながら現場作業を行なうことができ、また、携帯情報端末の位置情報を取得する位置情報取得手段によって、携帯情報端末を携帯した保守点検者が自分の現在位置を認識しつつ現場作業を行なうことができ、設備ルートを知らない保守点検者でも設備の巡回作業等が可能となり、設備の巡回を効率的に行なうことができる。
【００２４】
また、保守点検者が携帯する端末は、撮像手段を備え、撮像手段によって撮像された画像は管理サーバへ送られるので、現場の情報を何時でも何処からでも関係者が共有でき、迅速な対応が可能となる。
【図面の簡単な説明】
【００２５】
【図１】本発明を適用した設備位置情報管理システムの構成の一例を説明する概略図である。
【図２】通信ケーブルの緯度経度情報と地図情報を受信したウルトラモバイルＰＣの表示画面の一例を示す概略図である。
【符号の説明】
【００２６】
１    設備位置情報管理システム
２    管理ＧＩＳサーバ
３    ウルトラモバイルＰＣ
４    通信ケーブル位置情報データベース
５    地図情報データベース
６    通信ケーブル位置情報送信手段
７    通信ケーブル位置情報受信手段
８    位置情報取得手段
９    ＧＰＳ衛星
１０    インターネット
１１    撮像手段
１２    通信ケーブル画像送信手段
１３    通信ケーブル画像受信手段
１４    通信ケーブル
１５    表示画面
【図１】
2008058462.tif 000003
【図２】
2008058462.tif 000004